(57)【要約】【課題】意図した通りの個数で粒状物を取り出すことができる粒状物収納容器を提供する。【解決手段】本発明の粒状物収納容器は、容器本体１０と、容器本体１０に対し揺動可能に支持される蓋体１１とを備え、容器本体１０は、底壁１１に連結しその内側に粒状物を受け入れる受容空間Ｓ１を形成するとともに受容空間Ｓ１に通じる入側開口Ｈ１を備える隔壁１６を有し、蓋体２０は、収納空間Ｓ２に連通し粒状物Ｔを一列に整列させる通路Ｓ３と、通路Ｓ３に通じるとともに蓋体２０の揺動にて隔壁１３に向かい合う閉鎖状態或いは入側開口Ｈ１に向かい合う開放状態に切り替わる出側開口Ｈ２とを有することを特徴とする。【選択図】図１
2015209262.tif 000002
【特許請求の範囲】
【請求項１】
底壁を有する容器本体と、
前記底壁に対向する天壁及び該天壁に連結するとともに該底壁に向けて延在する縁壁を有し、該底壁、該天壁及び該縁壁との間で粒状物の収納空間を形成するとともに、前記容器本体に対し該底壁に沿う向きに揺動可能に支持される蓋体とを備え、
前記容器本体は、前記底壁に連結しその内側に前記粒状物を受け入れる受容空間を形成するとともに該受容空間に通じる入側開口を備える隔壁を有し、
前記蓋体は、前記収納空間に連通し該粒状物を一列に整列させる通路と、該通路に通じるとともに該蓋体の揺動にて該隔壁に向かい合う閉鎖状態或いは該入側開口に向かい合う開放状態に切り替わる出側開口とを有する粒状物収納容器。
【請求項２】
前記隔壁は、円弧状に形成される円弧部を有し、前記蓋体は、前記縁壁との間で前記通路を形成するとともに該円弧部に摺動可能に当接して該蓋体を揺動可能に支持する内部壁を有する請求項１に記載の粒状物収納容器。
【請求項３】
前記内部壁は、前記隔壁に設けた係合部に係合して前記容器本体に対して該蓋体を抜け止め保持する被係合部を有する請求項２に記載の粒状物収納容器。
【請求項４】
前記蓋体は、前記通路に向けて延在するとともに前記収納空間から該通路に向かうにつれて前記縁壁との間隔を狭める傾斜壁を有する請求項１〜３の何れか一項に記載の粒状物収納容器。
【請求項５】
前記蓋体は、前記通路の延在する向きと交差する向きに延在し該通路内の粒状物を前記出側開口へ導くストッパーを有する請求項１〜４の何れか一項に記載の粒状物収納容器。
【発明の詳細な説明】
【技術分野】
【０００１】
本発明は、粒状物を収納する粒状物収納容器に関するものである。
【背景技術】
【０００２】
従来、例えば球形状や扁平円形状をなす、菓子や薬剤等の粒状物を収納する粒状物収納容器としては、収納凹部の側方に計量凹部を設けた容器体と、計量凹部の内周上端部に開閉可能に嵌合する基板と、収納凹部を覆うとともに基板を固着させたシート材とを備え、計量凹部内に移動させた粒状物を、基板を開くことで取り出せるようにしたものが知られている（例えば特許文献１参照）。
【先行技術文献】
【特許文献】
【０００３】
【特許文献１】特開２００４−１８０７２６号公報
【発明の概要】
【発明が解決しようとする課題】
【０００４】
ところで特許文献１の容器は、計量凹部が下方を向くように容器を傾倒させて収納凹部の粒状物を計量凹部に移動させ、次いで基板を開いて容器を反転させることで、計量凹部の粒状物を取り出すことができるように構成している。しかし、容器の姿勢によっては、計量凹部から取り出す粒状物に続いて収納凹部の他の粒状物が容器外に出てしまうことがあった。このため、余分な粒状物を再度容器内に戻さなければならず、手間を要することになっていた。また、一旦指で触れたものを容器内に戻すことになるので、衛生面の点でも改善の余地が残されていた。
【０００５】
本発明は、このような問題点を解決することを課題とするものであり、その目的は、意図した通りの個数で粒状物を取り出すことができる、新たな粒状物収納容器を提案するところにある。
【課題を解決するための手段】
【０００６】
本発明は、底壁を有する容器本体と、
前記底壁に対向する天壁及び該天壁に連結するとともに該底壁に向けて延在する縁壁を有し、該底壁、該天壁及び該縁壁との間で粒状物の収納空間を形成するとともに、前記容器本体に対し該底壁に沿う向きに揺動可能に支持される蓋体とを備え、
前記容器本体は、前記底壁に連結しその内側に前記粒状物を受け入れる受容空間を形成するとともに該受容空間に通じる入側開口を備える隔壁を有し、
前記蓋体は、前記収納空間に連通し該粒状物を一列に整列させる通路と、該通路に通じるとともに該蓋体の揺動にて該隔壁に向かい合う閉鎖状態或いは該入側開口に向かい合う開放状態に切り替わる出側開口とを有する粒状物収納容器である。
【０００７】
前記隔壁は、円弧状に形成される円弧部を有し、前記蓋体は、前記縁壁との間で前記通路を形成するとともに該円弧部に摺動可能に当接して該蓋体を揺動可能に支持する内部壁を有することが好ましい。
【０００８】
前記内部壁は、前記隔壁に設けた係合部に係合して前記容器本体に対して該蓋体を抜け止め保持する被係合部を有することが好ましい。
【０００９】
前記蓋体は、前記通路に向けて延在するとともに前記収納空間から該通路に向かうにつれて前記縁壁との間隔を狭める傾斜壁を有することが好ましい。
【００１０】
前記蓋体は、前記通路の延在する向きと交差する向きに延在し該通路内の粒状物を前記出側開口へ導くストッパーを有することが好ましい。
【発明の効果】
【００１１】
容器本体に、粒状物を受け入れる受容空間を形成するとともに受容空間に通じる入側開口を備える隔壁を設け、蓋体に、粒状物を一列に整列させる通路と、この通路に通じるとともに蓋体の揺動にて隔壁に向かい合う閉鎖状態或いは入側開口に向かい合う開放状態に切り替わる出側開口とを設けたので、意図する個数の粒状物を受容空間に出した後は、蓋体を揺動させて閉鎖状態に切り替えることによって、容器の姿勢にかかわらず受容空間内の粒状物のみを取り出すことができる。
【００１２】
隔壁に、円弧状に形成される円弧部を設け、蓋体に、縁壁との間で通路を形成するとともに円弧部に摺動可能に当接して蓋体を揺動可能に支持する内部壁を設ける場合は、蓋体を揺動させる機能を隔壁及び内部壁に持たせることができるので、蓋体を揺動させる機構を別途設ける必要がなくなって構造が簡素化できる。
【００１３】
内部壁に、隔壁に設けた係合部に係合して容器本体に対して蓋体を抜け止め保持する被係合部を設ける場合は、容器本体から蓋体が不用意に外れることがなくなるので使い勝手が良くなる。
【００１４】
蓋体に、通路に向けて延在するとともに収納空間から通路に向かうにつれて縁壁との間隔を狭める傾斜壁を設ける場合は、収納空間内の粒状物が通路に向けて移動しやすくなるので、粒状物がより取り出しやすくなる。
【００１５】
蓋体に、通路の延在する向きと交差する向きに延在し通路内の粒状物を出側開口へ導くストッパーを設ける場合は、通路内を移動する粒状物は、ストッパーによって進行方向が変えられた後に出側開口へ向かうことになるので、粒状物が意図せずに連続的に出てしまう不具合を抑制することができる。
【図面の簡単な説明】
【００１６】
【図１】本発明に従う粒状物収納容器の一実施形態につき、出側開口が閉鎖状態である場合の平面図である。
【図２】図１に示すＡ−Ａに沿う断面図である。
【図３】図１の状態から蓋体を揺動させて、出側開口が開放状態である場合の平面図である。
【図４】図３に示すＢ−Ｂに沿う断面図である。
【図５】本発明に従う粒状物収納容器の他の実施形態につき、出側開口が閉鎖状態である場合の平面図である。
【図６】図５に示すＣ−Ｃに沿う断面図である。
【図７】図５の状態から蓋体を揺動させて、出側開口が開放状態である場合の平面図である。
【図８】図７に示すＤ−Ｄに沿う断面図である。
【発明を実施するための形態】
【００１７】
以下、図面を参照して、本発明をより具体的に説明する。なお、本明細書、特許請求の範囲、要約書において、「上」とは、容器本体の底壁に対して蓋体の天壁が位置する側であり、「下」とは、その反対側である。
【００１８】
図１〜図４は、本発明に従う粒状物収納容器の一実施形態を示す図である。本実施形態の粒状物収納容器は、容器本体１０、及び蓋体２０で構成されていて、扁平円形状となる粒状物Ｔを収納できるようにしている。
【００１９】
容器本体１０は、平板状の底壁１１を備えている。本実施形態の底壁１１は、平面視において、平行に延在する一対の直線状端縁１１ａ、１１ｂの相互間を、後述する揺動軸Ｐを中心とする２つの円弧状端縁１１ｃ、１１ｄで繋いだ形状になるものである。また図２に示すように底壁１１の下面には、操作時に指掛かりとなる突起１１ｅが設けられている。また底壁１１の端縁には、底壁１１を全周に亘って取り囲むとともに上方へ向けて延在する外周壁１２が一体に連結している。
【００２０】
外周壁１２の内側には、底壁１１に一体に連結するとともに上方へ向けて延在する隔壁１３が設けられている。本実施形態の隔壁１３は、揺動軸Ｐを中心として円を描くように延在するとともにその周方向の一部が上下方向に切り欠かれた形状になる円弧部１３ａと、円弧部１３ａの周方向に離間する２つの端縁間において、この円弧部１３ａに一体に連結するとともに揺動軸Ｐに向けて凸状に形成される凸状部１３ｂとで構成されている。凸状部１３ｂの内側には、粒状物Ｔを後述する収納空間から受け入れる受容空間Ｓ１が形成されていて、円弧部１３ａの周方向に離間する２つの端縁間には、受容空間Ｓ１に通じる入側開口Ｈ１が形成されている。本実施形態における受容空間Ｓ１は、粒状物Ｔを１個収容できる大きさになっている。
【００２１】
図２に示すように隔壁１３には、円弧部１３ａの外周面から突出する爪状の係合部１４が、円弧部１３ａの周方向に沿って形成されている。なお、本実施形態の係合部１４は、円弧部１３ａの周方向全域に亘って設けているが、その延在長さを短くしたり途中を分断したりして部分的に設けるようにしてもよい。
【００２２】
隔壁１３の上部には、受容空間Ｓ１の上方を開放するようにして設けられる上壁１５が一体に連結している。
【００２３】
蓋体２０は、平板状をなすとともに底壁１１に対向するように設けられる天壁２１を備えている。本実施形態の天壁２１は、平面視において、揺動軸Ｐを中心とする２つの円弧状端縁２１ａ、２１ｂの相互間を、円弧状端縁２１ａの接線方向に延在するとともにこの円弧状端縁２１ａから離れるにつれて相互間の幅を狭める一対の直線状端縁２１ｃ、２１ｄで繋いだ形状になるものである。また図１、図２に示すように天壁２１の上面には、操作時に指掛かりとなる突起２１ｅが設けられている。また天壁２１の端縁には、天壁２１を取り囲むとともに底壁１１に向けて下方に延在する縁壁２２が一体に連結している。底壁１１、天壁２１及び縁壁２２で取り囲まれる領域は、粒状物Ｔの収納空間Ｓ２となっている。
【００２４】
縁壁２２の内側には、隔壁１３を取り囲むとともに、円弧部１３ａの外周面に摺動可能に当接する円弧状の内部壁２３が設けられている。これにより蓋体２０は、容器本体１０に対して、揺動軸Ｐを中心として底壁１１に沿う向きに揺動可能に支持されることになる。また、縁壁２２の円弧状端縁２１ａに沿う部分と内部壁２３との相互間は、収納空間Ｓ２に連通する通路Ｓ３となっている。ここで通路Ｓ３は、粒状物Ｔが一列に整列する幅で形成されている。通路Ｓ３は、内部壁２３の一部を上下方向に切り欠くように形成した出側開口Ｈ２まで延在している。
【００２５】
図２に示すように内部壁２３内周面には、爪状に形成された係合部１４に係合するように、本実施形態では上方に対して下方が突出する段状に形成された、被係合部２４が設けられている。これにより蓋体２０は、容器本体１０に対して抜け止め保持されることになる。
【００２６】
図１に示すように天壁２１の下面には、直線状端縁２１ｄ側の縁壁２２から通路Ｓ３に向けて延在するとともに、収納空間Ｓ２から通路Ｓ３に向かうにつれて直線状端縁２１ｃ側の縁壁２２との間隔が狭くなる傾斜壁２５が、内部壁２３に接するように設けられている。更に、出側開口Ｈ２が形成される内部壁２３の端縁と縁壁２２との間には、通路Ｓ３が延在する円弧状の向きに対して交差する向き（本実施形態では、通路Ｓ３の延在する向きに対して直交する向き）に延在する板状のストッパー２６が設けられている。
【００２７】
上記のように構成される粒状物収納容器は、蓋体２０の内側に粒状物Ｔを収容しておき、容器本体１０を蓋体２０に被せて、係合部１４と被係合部２４とを嵌め合わせることで組み立てることができる。
【００２８】
そして、図１、図２に示すように、直線状端縁１１ｂ側の外周壁１２に対して直線状端縁２１ｃ側の縁壁２２が近接或いは当接するように蓋体２０を揺動させることで（外周壁１２が揺動する蓋体２０のストッパーとして機能する）、出側開口Ｈ２が隔壁１３の円弧部１３ａに向かい合う状態（閉鎖状態）になる。この状態においては、通路Ｓ３と受容空間Ｓ１が連通していないため、粒状物Ｔを収納空間Ｓ２及び通路Ｓ３内に留めておくことができる。なお、本実施形態においては傾斜壁２５を設けているので、収納空間Ｓ２内の粒状物Ｔを通路Ｓ３へスムーズに移動させることができる。
【００２９】
続いて図３、図４に示すように、直線状端縁１１ａ側の外周壁１２に対して直線状端縁２１ｄ側の縁壁２２が近接或いは当接するように蓋体２０を揺動させることで（この場合も外周壁１２が揺動する蓋体２０のストッパーとして機能する）、出側開口Ｈ２が入側開口Ｈ１に向かい合う状態（開放状態）になる。そして、容器を傾けたり振ったりすることによって、通路Ｓ３内の粒状物Ｔを受容空間Ｓ１内に出すことができる。
【００３０】
その後、蓋体２０を図１、図２に示す位置まで揺動すれば、出側開口Ｈ２を再度閉鎖状態にすることができるので、受容空間Ｓ１に収容された粒状物Ｔのみを取り出すことができる。
【００３１】
次に、本発明に従う粒状物収納容器の他の実施形態について、図５〜図８を参照しつつ説明する。なお、上述した実施形態と同一の構成となる部位は、同一の符号を付して説明を省略する。
【００３２】
図５〜図８に示す粒状物収納容器は、図１〜図４に示す粒状物収納容器に対して、隔壁１３及び上壁１５に代えて隔壁１６を設けたものである。隔壁１６は、揺動軸Ｐを中心として円を描くように延在するとともにその周方向の一部が上下方向に切り欠かれた形状になる円弧部１６ａを備えている。円弧部１６ａの内側には、複数の粒状物Ｔを収容できる大きさとなる受容空間Ｓ４が形成されている。また、円弧部１６ａの周方向に離間する２つの端縁間には、受容空間Ｓ４に通じる入側開口Ｈ１が形成されている。
【００３３】
本実施形態の粒状物収納容器も、図５、図６に示すように蓋体２０を揺動させることで、出側開口Ｈ２が隔壁１６の円弧部１６ａに向かい合う状態（閉鎖状態）になるので、粒状物Ｔを収納空間Ｓ２及び通路Ｓ３内に留めておくことができる。
【００３４】
次いで図７、図８に示すように蓋体２０を揺動させることで、出側開口Ｈ２が入側開口Ｈ１に向かい合う状態（開放状態）になるので、通路Ｓ３内の粒状物Ｔを受容空間Ｓ４内に１個、或いは複数個出すことができる。ここで、通路Ｓ３内の粒状物Ｔが出側開口Ｈ２から出る際は、ストッパー２６によって粒状物Ｔの進行方向が変えられるので、粒状物Ｔが意図せずに連続的に出てしまう不具合を抑制することができる。なお、余分な粒状物Ｔが受容空間Ｓ４内に出てしまった場合でも、容器を傾けたり振ったりすることによって、粒状物Ｔを指で直接触れることなく通路Ｓ３内に戻すことができる。
【００３５】
その後、蓋体２０を図５、図６に示す位置まで揺動すれば、出側開口Ｈ２を再度閉鎖状態にすることができる。受容空間Ｓ４から粒状物Ｔを取り出すには、容器を反転させてもよいが、受容空間Ｓ４は広いため、粒状物Ｔを指で直接摘まむことも可能である。
【００３６】
本発明に従う粒状物収納容器は、本実施形態に限定されるものではなく、特許請求の範囲に従う範囲で種々の変更が可能である。上述した実施形態では、容器本体１０に設けた隔壁１３、１６の円弧部１３ａ、１６ａに対し、蓋体２０に設けた内部壁２３が摺動可能に当接することによって蓋体２０を揺動可能に支持するようにしたが、このような揺動機構に代えて、例えば容器本体１０及び蓋体２０の何れか一方に円柱部を設けるとともに、何れか他方にこの円柱部に対応する円筒部を設けて揺動機構を形成してもよい。また受容空間Ｓ１、Ｓ４の大きさは、適宜変更することができる。更に、被係合部２４を爪状とし、係合部１４はこれに係合する凹状、段状としてもよい。
【産業上の利用可能性】
【００３７】
本発明によれば、意図した通りの個数で粒状物を取り出すことができる、新規の粒状物収納容器を提供することが可能となる。
【符号の説明】
【００３８】
１０  容器本体
１１  底壁
１１ａ、１１ｂ  直線状端縁
１１ｃ、１１ｄ  円弧状端縁
１１ｅ  突起
１２  外周壁
１３  隔壁
１３ａ  円弧部
１３ｂ  凸状部
１４  係合部
１５  上壁
１６  隔壁
１６ａ  円弧部
２０  蓋体
２１  天壁
２１ａ、２１ｂ  円弧状端縁
２１ｃ、２１ｄ  直線状端縁
２１ｅ  突起
２２  縁壁
２３  内部壁
２４  被係合部
２５  傾斜壁
２６  ストッパー
Ｈ１  入側開口
Ｈ２  出側開口
Ｐ  揺動軸
Ｓ１  受容空間
Ｓ２  収納空間
Ｓ３  通路
Ｓ４  受容空間
Ｔ  粒状物
【図１】
2015209262.tif 000003
【図２】
2015209262.tif 000004
【図３】
2015209262.tif 000005
【図４】
2015209262.tif 000006
【図５】
2015209262.tif 000007
【図６】
2015209262.tif 000008
【図７】
2015209262.tif 000009
【図８】
2015209262.tif 000010